(57)【特許請求の範囲】
【請求項１】
上下方向に延出した基柱と、
前記基柱の上端部に回転可能に支持された上ローラと、
前記基柱の下端部に回転可能に支持された下ローラと、
前記上ローラ及び前記下ローラに巻掛けられた無端ベルトと、
閉止状態で前記無端ベルトの上側に対向するように前記基柱の上側に開閉可能、且つ取外し可能に支持された上扉と、
閉止状態で前記無端ベルトの下側に対向するように前記基柱の下側に開閉可能、且つ取外し可能に支持された下扉と、
遊技球を前記無端ベルトの下側と挟持できるように前記下扉に取付けられ、前記無端ベルトの移動によって揚送される前記遊技球を研磨する研磨部材と、
前記下扉に設けられ、前記研磨部材の幅方向両端部に係合するガイドレールと、
前記研磨部材の下端部を取り外し可能に前記下扉の下端部に係止して前記研磨部材の上下方向の移動を制限する第１の係止手段と、
前記研磨部材の上端部を取り外し可能に前記下扉の上端部に係止して前記研磨部材の上下方向の移動を制限する第２の係止手段と、
を有することを特徴とする遊技球揚送装置。
【請求項２】
前記第１の係止手段は、前記下扉の下端部に前記研磨部材の下端部を引掛ける引掛手段であり、前記第２の係止手段は、前記下扉の上端部に前記研磨部材の上端部を挟持して係止する挟持手段であることを特徴とする請求項１に記載の遊技球揚送装置。
【発明の詳細な説明】
【０００１】
【産業上の利用分野】
本発明は、パチンコホール内で遊技球を所定高さへ揚送，研磨する遊技球揚送装置に関する。
【０００２】
【従来技術】
近年のパチンコホールには、外側に向けて一群のパチンコ機が設置されたパチンコ機ヤード（パチンコホール内に点在することから「島」と呼ばれる）を並列配置し、これらのパチンコ機ヤード内で各パチンコ機から排出された遊技球を回収，研磨しながら所定高さへと揚送し、再び各パチンコ機の遊技球補充経路に供給する遊技球揚送装置が用いられている。
【０００３】
このパチンコ機ヤードの内部では底板が遊技球揚送装置に向かって下り勾配とされた貯蔵タンクが設けられている。この貯蔵タンクにはパチンコ機ヤード内を循環する遊技球の絶対量を増やすため予め所定数の遊技球が貯蔵されており、貯蔵タンクに貯蔵された遊技球は貯蔵タンクの下流に形成された通路を通じて遊技球揚送装置で研磨されパチンコ機ヤードの上部へ搬送され各パチンコ機を介した後に再び貯蔵タンクへ還流される。
【０００４】
この遊技球は各通路等を転移する際にゴミ，埃等が付着し、この状態で遊技球がパチンコ機の化粧板に接触すると、化粧板に遊技球のゴミ等が付着して汚れるために遊技球を遊技球揚送装置に通す際に研磨してゴミ等を取り除く。
【０００５】
ところで、従来の遊技球揚送装置では、支持部材には多数のループ又は鉤の一方を備えた係止部材が、研磨部材には多数の鉤又はループの他方を備えた係止部材がそれぞれ備えられ、これらの係止部材が互いに係止することにより係止手段（商品名：マジックテープ）を構成している。この研磨部材の係止手段を支持部材の係止手段へそれぞれ対応させた状態でこれらの係止手段を互いに係止させて研磨部材を支持部材に固定していた。すなわち、研磨部材の取付けは研磨部材の係止手段を支持部材の係止手段にそれぞれ対応させた状態で付着する必要があるため、その取付けに手数を要する。また、上記係止手段では、研磨部材の位置決めが不確実なため、研磨部材のずれや弛みを生じるので、係止手段の固定箇所も多く要し、係止手段の面積を大きく取る必要があった。
【０００６】
【発明が解決しょうとする課題】
本発明は上記事実を考慮し、研磨部材の取付けを容易にする玉揚送装置を提供することを目的とする。
【０００７】
【課題を解決するための手段】
請求項１記載の遊技球揚送装置は、上下方向に延出した基柱と、前記基柱の上端部に回転可能に支持された上ローラと、前記基柱の下端部に回転可能に支持された下ローラと、前記上ローラ及び前記下ローラに巻掛けられた無端ベルトと、閉止状態で前記無端ベルトの上側に対向するように前記基柱の上側に開閉可能に支持された上扉と、閉止状態で前記無端ベルトの下側に対向するように前記基柱の下側に開閉可能に支持された下扉と、遊技球を前記無端ベルトの下側と挟持できるように前記下扉に取付けられ、前記無端ベルトの移動によって揚送される前記遊技球を研磨する研磨部材と、前記下扉に設けられ、前記研磨部材の幅方向両端部に係合するガイドレールと、前記研磨部材の下端部を取り外し可能に前記下扉の下端部に係止して前記研磨部材の上下方向の移動を制限する第１の係止手段と、前記研磨部材の上端部を取り外し可能に前記下扉の上端部に係止して前記研磨部材の上下方向の移動を制限する第２の係止手段と、を有することを特徴としている。
【０００８】
請求項２記載の遊技球揚送装置は、請求項１に記載の遊技球揚送装置であって、前記第１の係止手段は、前記下扉の下端部に前記研磨部材の下端部を引掛ける引掛手段であり、前記第２の係止手段は、前記下扉の上端部に前記研磨部材の上端部を挟持して係止する挟持手段であることを特徴としている。
【０００９】
【作用】
上記構成において、研磨部材を取付けるには、下扉を開状態にした後に研磨部材の下端部を第１の係止手段によって係止すると共に、研磨部材の上端部を第２の係止手段によって係止する。
【００１０】
次に、研磨部材を取り外す場合には、下扉を開状態にした後に第２の係止手段の係止状態を解除すると共に、第１の係止手段の係止状態を解除する。ここで、扉が上下２段構成とされ、研磨部材が下扉に着脱可能とされているので、普通の大人が脚立等を使用しない状態で研磨部材の上端部に手が届く。従って、研磨部材の交換を容易に行うことができる。
【００１１】
【実施例】
（第１実施例）
図１〜図６には、本発明の第１実施例が示されている。図１は本実施例に係る遊技球揚送装置を示す全体斜視図であり、図２は扉の取り外し状態を示す斜視図である。
【００１２】
パチンコホール内では複数のパチンコ機ヤードが設けられ、これらのパチンコ機ヤードでは外側に向けて多数のパチンコ機が設置されると共に、内部には図１に示す遊技球揚送装置１０が配置されている。この遊技球揚送装置１０は、ベース１２が床面へ固定され、このベース１２上に支持板１４がボルトで締結固定されている。この支持板１４上へブラケット３０が固着され、図示しないベアリングを介して図１の破線に示す下ローラ２０が回転可能に水平に軸支されている。この下ローラ２０の下半周には無端ベルトである揚送ベルト２５の一部が巻掛けて折送されている。
【００１３】
この下ローラ２０の下側には図１の破線に示す食い込みシュート４０がブラケット３０へ固定され、下ローラ２０の下部を覆っている。この食い込みシュート４０にはその内周面に図示しない柔軟材が貼付され、下ローラ２０へ巻掛けられた揚送ベルト２５の外周との間に遊技球であるパチンコ玉ＰＢ（図３の２点鎖線参照）１個より若干だけ狭い間隔を設けている。これによって食い込みシュート４０の端部付近で遊技球揚送装置１０の後方（図中矢印ＲＥ方向）にあるパチンコ玉ＰＢを揚送ベルト２５とこの食い込みシュート４０との間に誘い込む（矢印Ａ方向）と共に、下ローラ２０の周面に沿って遊技球揚送装置１０の前方（矢印ＦＲ方向）及び上方（矢印ＵＰ方向）へと送るようになっている。
【００１４】
図１及び図２に示すように、ブラケット３０の頂部には取付基部４２を介して基柱５０が立設されている。この基柱５０の下端には、ブラケット４４が固着されモータ６０が設置されている。このモータ６０の駆動力はカバー６２内の図示しないＶベルトを介して下ローラ２０へと伝達される。即ち、モータ６０が駆動することにより下ローラ（駆動ローラ）２０に図１の時計方向（矢印Ｂ方向）回転力が伝達される。
【００１５】
図３に示される如く、基柱５０は水平断面形状がコ字状とされており、この基柱５０の上端に上ローラ４６が回転可能に水平に軸支されている。図２に示すように、下ローラ２０へ一部が巻掛けられた揚送ベルト２５は、上ローラ４６へ他の一部が巻掛けられて、上ローラ４６と下ローラ２０との間で循環する。
【００１６】
図３に示される如く、基柱５０は水平断面形状がコ字状とされており、図１，２に示される如くこの基柱５０の上端に上ローラ４６が回転可能に水平に軸支されている。図２に示すように、下ローラ２０へ一部が巻掛けられた揚送ベルト２５は、上ローラ４６へ他の一部が巻掛けられて、上ローラ４６と下ローラ２０との間で循環する。ここに下ローラ２０から送り出されて上ローラ４６へと至る揚送ベルト２５の表面部分は図３に示される如くパチンコ玉ＰＢの揚送路ＰＷとなる。
【００１７】
図３に示すように、基柱５０には、上下中間部に複数本のガイドローラ２８が軸心水平で下ローラ２０，上ローラ４６と平行に所定間隔で軸支されている。図２に示される如く、これらのガイドローラ２８の周面は基柱５０に形成された窓から突出し、上昇される揚送ベルト２５の裏面と接触し、揚送ベルト２５の中間部が後方（矢印ＲＥ方向）へ撓むのを抑え、揚送ベルト２５の移動を円滑にすると共に、柔軟弾性体（柔軟体）７１又は研磨布９０と揚送ベルト２５との間隔を一定にしてパチンコ玉ＰＢの揚送を確実にする。
【００１８】
図１及び図２に示すように、基柱５０の上端には、排出シュート４２が上ローラの上部を覆っている。この排出シュート４２は揚送されたパチンコ玉ＰＢを後方（矢印ＲＥ方向）へと送り、図示しない案内樋へと落とすように揚送ベルト２５との間がパチンコ玉ＰＢ１個よりも若干だけ狭い間隔とされている。
【００１９】
基柱５０の前方（矢印ＦＲ方向）には、図２に示す抜き差しヒンジ６５Ａ，６５Ｂを介して支持部材である上下扉６６，６８が開閉可能に配置されている。詳述すると図２，３に示すように、基柱５０の側方一端にはヒンジの一方を構成する垂直軸状の支持部６５Ａが軸心を垂直として、上下に所定間隔で複数個立設固定されている。また、各上下扉６６，６８は水平断面形状において両側端が直角に屈曲され、側板６７Ａ，６７Ｂとされたコ字状であり、一方の側板６７Ａには支持部６５Ａに対応する位置にヒンジの他方を構成する筒部６５Ｂが軸心を垂直として固定されている。即ち、上下扉６６，６８はこの筒部６５Ｂが支持部６５Ａに軸支されて回転することにより、パチンコ玉ＰＢの揚送路ＰＷを介して揚送ベルト２５とは反対側に位置し揚送路ＰＷを閉止する状態（図１の状態）から開放する状態（図２の想像線状態）まで回転移動可能に配置されている。
【００２０】
図２に示される如く、上扉６６の内側には柔軟弾性体７１が、下扉６８の内側には研磨布９０がそれぞれ配置され、柔軟弾性体７１，研磨布９０は上下扉６６，６８の閉状態において揚送ベルト２５に対向する。即ち、柔軟弾性体７１，研磨布９０は、上下扉６６，６８の揚送路ＰＷ閉止状態（図１の状態）において、上下扉６６，６８の揚送路ＰＷ側で揚送ベルト２５に対向し、揚送ベルト２５との間にパチンコ玉ＰＢを挟持してパチンコ玉ＰＢに揚送力を付与する位置に配置されている。
【００２１】
なお、扉を上下２段構成としたのは、研磨布９０の交換を容易にするために、研磨布９０の上端に普通の大人が脚立等を使用しない状態で手が届くようにしたものである。すなわち、遊技球揚送装置１０の高さはパチンコ玉ＰＢをパチンコ機ヤードの上方へ搬送して自然流下できるように予め設定されているため、扉の上下方向の高さは相当に高いものになる。そのため、研磨布９０の長さ（下扉６８の上下方向の長さ）をその上端に普通の大人が脚立等を使用しない状態で手が届き、かつ、パチンコ玉ＰＢを揚送させながら充分に磨ける程度に制限し、この高さ以上の部分はパチンコ玉ＰＢを排出シュート４２へ送り出す、即ち、パチンコ玉ＰＢを揚送ベルト２５とで挟持してパチンコ玉ＰＢに揚送力を付与する柔軟弾性体７１とし、これらに対応するように扉を上下２段構成としてある。なお、柔軟弾性体７１は、上記の如くパチンコ玉ＰＢに揚送力を付与するものであるから、研磨布９０に比べて交換の回数は少ない。
【００２２】
また、上下扉６６，６８には、ヒンジ６５Ｂの反対側の側板６７Ｂに上下扉６６，６８の閉止状態を保持する締結具の一方を構成する略Ｌ字形のフック部８５Ａが上下に隔てて複数配置されている。一方、基柱５０には、フック部８５Ａに対応する位置に締結具の他方を構成する止具８５Ｂがそれぞれ配置されており、フック部８５Ａを係止することにより上下扉６６，６８の閉止状態を保持する。上下扉６６，６８の閉止状態を維持するには、上記構成の締結具以外に各種の締結具が適用できる。
【００２３】
図３に示すように、上扉６６の内側の両側部には側板６７Ａ，６７Ｂ寄りに柔軟弾性体７１の上方向へ向けての挿入を案内する案内部である２本のガイドレール７４がそれぞれ配置されている。図３に示すように、これらのガイドレール７４は、上扉６６への固着部から直角に揚送ベルト２５方向へ立上った立上り部７４Ａが設けられている。立上り部７４Ａの先端部は、互いに接近する方向に直角に屈曲されて対向した保持部７４Ｂとなっている。
【００２４】
図３に示すように、この一対のガイドレール７４の立上り部７４Ａ間には、柔軟弾性体７１が上方向（矢印ＵＰ方向）へ向けて挿入される。また、図２に示すように、上扉６６の下端部には、取付手段（係止手段）の一部を構成する孔８４が幅方向の両端部付近に穿設されている。即ち、柔軟弾性体７１の下端部には図２の破線に示す取付手段の他の一部を構成する板状の固定具８０が柔軟弾性体７１の幅方向に沿って貫通されており、図３に示すように、この固定具８０の両端には上扉６６の上記取付手段を構成する孔８４に対応した位置に孔８０Ａが穿設されている。この固定具８０の孔８０Ａ及び上扉６６の孔８４に取付手段のさらに他の一部を構成するボルト８１を挿入して上扉６６の反対側（矢印ＦＲ側）からナット８２で締結する。なお、上記取付手段を上扉６６及び柔軟弾性体７１の下端に配置したのは、上扉６６を基柱５０より取外すことなく，単に上扉６６を開放した状態（図２の２点鎖線の状態）において、普通の大人が脚立等を使用しない状態で柔軟弾性体７１を下方からガイドレール７４内へ挿脱し、ボルト８１，ナット８２で固着、取外しできるようにするためである。
【００２５】
なお、ボルト８１を上扉６６へ直接に螺合したり、固定具８０の両端を上扉６６に設ける孔へ挿入係止することにより固着するなどの他の係止手段も適用できる。
【００２６】
図３及び図４に示すように、柔軟弾性体７１は平板形状であり、前方（矢印ＦＲ方向）には上扉６６裏面と当接する先端が先細りになっている台形状の当接部７３Ａがパチンコ玉ＰＢの搬送方向（上下方向）に沿って直線状に適宜間隔をもって複数形成されている。従って、これらの当接部７３Ａの間の部分では柔軟弾性体７１が上扉６６と離れており、これによって柔軟弾性体７１の弾力性と相まって揚送ベルト２５との間にパチンコ玉ＰＢを弾性的に挟持するための弾力性を生じる。
【００２７】
また、柔軟弾性体７１の後方（矢印ＲＥ方向）の表面は揚送路ＰＷに面したパチンコ玉ＰＢの走行面７３Ｂであり、その幅方向両端にはガイド面７３Ｃがそれぞれ形成されている。図３及び図４に示すように、このガイド面７３Ｃは、平坦状の走行面７３Ｂから揚送ベルト２５へ次第に接近する傾斜面となっている。ガイド面７３Ｃの先端には、幅方向へ突出する突起７２が上扉６６の側板６７Ａ，６７Ｂ側に向かって突設されている。即ち、図３に示すように、突起７２は、走行面７３Ｂの幅方向延長線からは揚送ベルト２５寄りにずれた位置に形成されている。従って、図３に示すように、柔軟弾性体７１の突起７２を上扉６６のガイドレール７４の立上り部７４Ａに係合させた場合には、柔軟弾性体７１の側面７１Ａとこの側面７１Ａに対向するガイドレール７４の立上り部７４Ａとの間に隙間Ｄができるように配置されている。この隙間Ｄは、温度変化による熱膨張を吸収し、柔軟弾性体７１が揚送ベルト２５に向かって盛り上がることを防止するためのものである。
【００２８】
図２及び図５に示すように、研磨布９０の下端には、第１の係止手段（引掛手段）であるポケット状の引掛部９２が形成されている。この引掛部９２は、研磨布９０の下端を折曲げた状態で研磨布９０の幅方向の両端を長手方向に沿って縫糸９０Ａで縫着することによって形成されている。下扉６８の下端には、その幅方向の両端に第１の係止手段（引掛手段）の一部である切欠７７がそれぞれ形成されており、これらの切欠７７の間の下扉６８の下端部を第１の係止手段（引掛手段）の一部である突片６８Ａとしている。研磨布９０は引掛部９２をこの突片６８Ａへ被せて研磨布９０の下端側を下扉６８に係止する。
【００２９】
図２及び図５に示すように、下扉６８裏面内側の両側部には、側板６７Ａ，６７Ｂ寄りに研磨布９０の挿入を案内する２本のＬ字状の軟質合成樹脂製のガイドレール７６がそれぞれ配置されている。図５に示すように、これらのガイドレール７６は、下扉６８への固着部７６Ｂから直角に揚送ベルト２５方向へ立上ったガイド部７６Ａが設けられいる。これらのガイド部７６Ａは、揚送中のパチンコ玉ＰＢと当接してその幅方向への移動を制限するものである。また、一対のガイド部７６Ａ間に研磨布９０が挿入される。即ち、これらのガイド部７６Ａ間の距離は、研磨布９０の幅方向の長さよりも若干だけ長く設定されている。なお、図５に示すように、切欠７７に対応する部位には固着部７６Ｂが配置されていない。
【００３０】
図１及び図２に示すように、下扉６８の上端付近の外側には、第２の係止手段（挟持手段）であるストッパ９６が配置されている。このストッパ９６は、下扉６８の外側へ被せるように水平断面コ字状に形成された板材であり、一対のボルト９６Ｂをストッパ９６の両端を貫通して下扉６８へ螺合することにより固定する。即ち、引掛部９２を下扉６８に引掛けた状態で上端部９５を下扉６８の上端で折り返してストッパ９６と下扉６８との間に挟持することで固定する。従って、図１及び図２に示すように、研磨布９０の長さは、下扉６８の上下方向の長さよりも若干長くなるように設定されている。
【００３１】
次に、本実施例に係る柔軟弾性体７１及び研磨布９０の取り換え時の着脱について説明する。
【００３２】
柔軟弾性体７１を上扉６６に取り付けるには、例えば上扉６６を開放した状態（図２の２点鎖線の状態）で柔軟弾性体７１の両側部の突起７２を上扉６６のガイドレール７４内へ下方から挿入し、柔軟弾性体７１を下方から上方に向かって挿入する。図３に示すように、固定具８０が上扉６６の取付手段を構成する孔に対応する位置にまで柔軟弾性体７１を挿入し、柔軟弾性体７１の固定具８０の孔及び上扉６６の取付手段の孔にボルト８１を挿入して上扉６６の外側からナット８２で締結する。
【００３３】
柔軟弾性体７１の取り外しは、上記の取付けの手順と逆の手順によって行う。即ち、柔軟弾性体７１の取り外しは、上扉６６を開状態にした後に柔軟弾性体７１の固定具８０を締結しているボルト８１を取り外して柔軟弾性体７１をガイドレール７４に沿って下方へ引き抜くことにより行う。
【００３４】
研磨布９０を下扉６８に取り付けるには、例えば図２に示される如く、下扉６８を開放した状態で研磨布９０の両側部を下扉６８のガイドレール７６間に対応させて研磨布９０をガイドレール７６間に挿入する。この場合には、研磨布９０の引掛部９２を下扉６８の突片６８Ａより下の位置になるようにしておき、研磨布９０をガイドレール７６に挿入した後に研磨布９０を引き上げ、引掛部９２を突片６８Ａへ被せて係止させる。なお、この挿入は、研磨布９０がガイドレール７６から外れないように、具体的には研磨布９０がめくれ，浮き上がりを生じないようにする。すなわち、研磨布９０の両側部がガイドレール７６に係合するので、研磨布９０の幅方向両端が浮き上がらない。
【００３５】
図１及び図２の２点鎖線に示すように、研磨布９０の上端部９５を下扉６８の上端で折り返す。この折り返した上端部９５を下方へ引っ張って研磨布９０へ張力を付与した後、即ち研磨布９０の弛みがない状態で、図１に示すように、上端部９５をストッパ９６と下扉６８との間に挟持することで固定する。ストッパ９６は上端部９５を挟んだ状態でストッパ９６をボルト９６Ｂによって固定する。これによって、研磨布９０が弛まずに取付けられる。
【００３６】
研磨布９０の取り外しは、上記の取付けの手順と逆の手順によって行う。即ち、研磨布９０の取り外しは、下扉６８を開状態にした後にボルト９６Ｂをゆるめストッパ９６を浮かせて研磨布９０の上端部９５の係止状態を解除する。下扉６８裏面側の研磨布９０をガイドレール７６に沿って下方へ引き出し、突片６８Ａと研磨布９０の引掛部９２との係止状態を解除することにより下扉６８から取り外す。なお、柔軟弾性体７１及び研磨布９０の取り換え後は、上下扉６６，６８を締結具８５Ａ，８５Ｂで閉状態に保持する。
【００３７】
従って、本実施例においては、従来のようにマジックテープにそれぞれ対応させた状態で研磨布９０を取付ける必要がなく、研磨布９０の取付けを容易にできる。
【００３８】
また、柔軟弾性体７１及び研磨布９０の交換は、図２の実線に示される如く、上下扉６６，６８を取り外した後即ち上下扉６６，６８を持ち上げてヒンジを構成する筒部６５Ｂを基柱５０の支持部６５Ａより引き抜いた後に行うようにしてもよい。
【００３９】
柔軟弾性体７１及び研磨布９０の取り換え後は、モータ６０を駆動することにより下ローラ２０が時計方向に回転してパチンコ玉ＰＢを揚送ベルト２５と食い込みシュート４０との間に誘い込み、遊技球揚送装置１０の前方及び上方へと送る。即ち、パチンコ玉ＰＢは揚送ベルト２５と研磨布９０とに挟持されて研磨布９０で研磨（摺動回転）されながら揚送される。
【００４０】
さらに、図３に示すように、パチンコ玉ＰＢが柔軟弾性体７１にまで揚送されると、パチンコ玉ＰＢは揚送ベルト２５と柔軟弾性体７１とに挟持，揚送されて排出シュート４２から排出される。
【００４１】
なお、本実施例においては、柔軟弾性体７１の当接部７３Ａの間の部分では柔軟弾性体７１が上扉６６と離れているので、柔軟弾性体７１の弾性力と相まって揚送ベルト２５との間にパチンコ玉ＰＢを弾性的に挟持するための弾性力が生じ、柔軟弾性体７１の弾性力を向上させることができる。
【００４２】
また、本実施例においては、温度変化により柔軟弾性体７１が熱膨張する場合でも、隙間Ｄによって熱膨張部分が逃げるので、柔軟弾性体７１の浮き上がりを防止でき、パチンコ玉ＰＢが円滑に走行する。
【００４３】
さらに、本実施例においては、柔軟弾性体７１の走行面７３Ｂ側にガイド部７３Ｃを形成したので、揚送時のパチンコ玉ＰＢが柔軟弾性体７１を保持するガイドレール７４等の保持部に干渉することがなく、パチンコ玉ＰＢとガイドレール７４や扉との摩擦発生を防止できる。
（第２実施例）
図７，８には、本発明の第２実施例が示されている。
【００４４】
本実施例は、第２の係止手段が、一方の係止部材１００として多数のループを備え、他方の係止部材１０２としてこれらのループへ係止できる多数の鉤又は先端拡径部を備え、これらの一対の係止部材を係合させることにより互いに係止状態を維持し又は引き剥がし力で係止状態を解除して離脱する面ファスナー（商品名：マジックテープ）である例である。
【００４５】
１枚の係止部材１００は研磨布９０の揚送ベルト２５（図２参照）に対向する面と反対側の面で上端部９５の先端に接着材等で固定されており、また、係止部材１００のループが表側に向くように配置されている。１枚の係止部材１０２は、下扉６８の前側（矢印ＦＲ側）の面で、研磨布９０の引掛部９２を下扉６８の突片６８Ａに引っ掛けて係止し上端部９５を下扉６８の上端で折り返した状態で係止部材１００に対向する位置に接着材等で固定されている。また、係止部材１０２は、鉤又は先端拡径部が表側に向くように配置されている。なお、上記係止部材１００，１０２を逆の被取付部材に，即ち係止部材１００を下扉６８へ，係止部材１０２を研磨布９０へ配置してもよい。その他の構成は、第１実施例と同様である。
【００４６】
研磨布９０を下扉６８へ取付けるには、研磨布９０の引掛部９２を下扉６８の突片６８Ａに引っ掛けて係止した後に、図８に示される如く、研磨布９０に張力を付与するために、上端部９５を下扉６８の上端で折り返した状態で下方（矢印ＵＰ方向と逆方向）へ引っ張って係止部材１００を係止部材１０２に係止させる。
【００４７】
研磨布９０の取り外しは、上記の取付け手順の逆の手順によって行う。即ち、係止部材１００と係止部材１０２との係止状態を解除した後に、引掛部９２と突片６８Ａとの係止状態を解除して研磨布９０を下扉６８から取り外す。
【００４８】
従って、本実施例においては、少数即ち各１枚の係止部材１００，１０２で研磨布９０の上端部９５を下扉６８に係止することができ、簡便に研磨布９０を取付けることができる。その他の作用効果は、第１実施例と同様である。
【００４９】
なお、柔軟弾性体７１の幅方向両端部にのみガイド部７３Ｃを形成したので、パチンコ玉ＰＢがガイド部７３Ｃ間で自由に走行し、揚送路ＰＷが区画されている場合と異りパチンコ玉ＰＢと揚送ベルト２５，柔軟弾性体７１とはランダムな接触となり、磨耗や疲労が分散され、揚送ベルト２５及び柔軟弾性体７１の交換サイクルや寿命が伸びる。また、柔軟弾性体７１及び揚送ベルト２５の磨耗や疲労が分散されるので、パチンコ玉ＰＢがスムーズに走行すると共に、揚送能力の維持につながる。
【００５０】
なお、第１の係止手段と第２の係止手段の構造は、上記各実施例の引掛け，又は挟持等に限定されず、研磨部材を扉に固定できる手段であれば同様に適用できる。一例として研磨布９０の係止構造を上記実施例とは上下を入れ替えてよく、また下部も上部と同様構成としてもよい。また、上端部９５の一部へボルト等の係止部材を貫通して扉６８へ固定するようにしてもよい。また、上端部９５を折返して中間部へ縫着することによりループ状とし、このループ内へストッパ９６を通すようにしてもよい。また、ストッパ９６は一端を扉６８へ軸支させ、他端をボルト９６Ｂ等で扉６８へ固定してもよい。
【００５１】
【発明の効果】
本発明は上記構成としたので、従来のようにマジックテープにそれぞれ対応させた状態で研磨部材を取付ける必要がなくなり、研磨部材の取付けを容易にできる。
【図面の簡単な説明】
【図１】第１実施例に係る玉揚送装置を示す斜視図である。
【図２】第１実施例に係る玉揚送装置の扉の取り外し状態を示す斜視図である。
【図３】図１のＩＩＩ−ＩＩＩ線断面図である。
【図４】第１実施例に係る柔軟弾性体を示す断面図である。
【図５】第１実施例に係る研磨布の取付け状態を示す斜視図である。
【図６】第１実施例に係る下扉の右側面を示す一部断面図である。
【図７】第２実施例に係る研磨布と下扉を示す斜視図である。
【図８】第２実施例に係る研磨布の取付け状態を示す斜視図である。
【符号の説明】
１０    遊技球揚送装置
２５    揚送ベルト（無端ベルト）
６８    下扉（支持部材）
６８Ａ    突片（引掛手段，第１の係止手段）
７７    切欠（引掛手段，第１の係止手段）
９０    研磨布（研磨部材）
９２    引掛部
９５    上端部
９６    ストッパ（挟持手段，第２の係止手段）
１００    係止部材（第２の係止手段）
１０２    係止部材（第２の係止手段）
ＰＢ    パチンコ玉（遊技球）
ＰＷ    揚送路
【図１】
0003544582.tif 000002
【図２】
0003544582.tif 000003
【図３】
0003544582.tif 000004
【図４】
0003544582.tif 000005
【図５】
0003544582.tif 000006
【図６】
0003544582.tif 000007
【図７】
0003544582.tif 000008
【図８】
0003544582.tif 000009